(57)【要約】【課題】従来のナロ−ガイド張出量調節装置は、モ−ドの切替えによって手動、自動のどちらでも選択して調節でき、更に、駆動装置は、電動モ−タや電動シリンダ、油圧シリンダ等を利用した高等な技術レベルの機構であって、コスト的にきわめて高く、簡易で廉価な普及型コンバインには不向きであり、実用に供し難い課題がある。【解決手段】本案に係るナロ−ガイド３は、先端部を前部の分草杆４側に取り付けると共に、中間部を、横向きに配置した油圧シリンダ５に連結して設けた。該油圧シリンダ５は、手動操作で圧送される作動油によって伸長して前記ナロ−ガイド３を作用位置まで張り出す構成としたコンバインのナロ−ガイド操作装置としている。【選択図】図１
2005095072.tif 000002
【特許請求の範囲】
【請求項１】
コンバイン１の車体フレ−ム２から横側に張り出した作用位置と、車体フレ−ム２側に収納した非作用位置とに切り替え操作可能なナロ−ガイド３であって、該ナロ−ガイド３は、先端部を前部の分草杆４側に取り付けると共に、中間部を、横向きに配置した油圧シリンダ５に連結して設け、該油圧シリンダ５は、手動操作で圧送される作動油によって伸長して前記ナロ−ガイド３を作用位置まで張り出す構成としたコンバインのナロ−ガイド操作装置。
【請求項２】
油圧シリンダ５は、コンバイン１の注油装置６に使用する潤滑油を、作動油としてシリンダに圧送して、ナロ−ガイド３を作用位置に張り出す構成とした請求項１記載のコンバインのナロ−ガイド操作装置。
【請求項３】
油圧ホ−ス８は、手動ポンプ７から油圧シリンダ５に作動油を送るホ−スであって、車体フレ−ム２を構成するパイプ材２ａの内部に配管して構成した請求項１、又は請求項２記載のコンバインのナロ−ガイド操作装置。
【発明の詳細な説明】
【技術分野】
【０００１】
本発明は、コンバインにおいてナロ−ガイドを操作する装置に関し、農業機械の技術分野に属するものである。
【背景技術】
【０００２】
従来からコンバインは、車体フレ−ムの側部に折り畳み自由のナロ−ガイドが設けられ、刈取作業中には隣接の未刈稈が前進する車体に巻き込まれないように、或はクロ−ラで踏まれないように外側に張り出して未刈稈を外方に押しやりながら走行する構成となっている。そして、ナロ−ガイドは、刈取作業が終了すると車体側に折り畳んで収納し、車体幅を狭くして路上を安全に走行する構成としている。
【０００３】
そして、ナロ−ガイドは、通常車体の左側（未刈稈）に設けられ、車体の右側にある操縦座席から遠隔操作によって張出量を調節する駆動装置が公知になっている。この場合、ナロ−ガイドは、正逆転可能な電動モ−タとラック、ピニオン機構を利用して自動的に張り出し、収納ができる構成となっている。
【特許文献１】特開平５−６７２２９号公報
【発明の開示】
【発明が解決しようとする課題】
【０００４】
上述した従来公知のナロ−ガイド張出量調節装置は、公報に示されているように、モ−ドの切り替えによって手動、自動のどちらでも選択して調節できる技術構成が取られており、稈長センサの検出情報に基づいて張出量が自動調節できる構成となっている。更に、駆動装置は、実施例では電動モ−タが利用されているが、その外に、電動シリンダや油圧シリンダも利用できるとの記載がある。
【０００５】
このような従来技術のナロ−ガイド張出量調節装置は、高等な技術レベルの機構であって、コスト的にきわめて高く、簡易で廉価な普及型コンバインには不向きであり、実用に供し難い課題がある。
【０００６】
それに対して、本願の発明は、低コストで製作ができる簡単な機構であって、手押し式の手動ポンプを利用して、しかも、コンバインの各部、例えば刈取装置等に注油する潤滑油を作動油として利用し、油圧シリンダを伸長する構成としている。
【課題を解決するための手段】
【０００７】
本発明は、上述した課題を解決するために、次の如き技術手段を講ずるものである。まず、請求項１の発明は、コンバイン１の車体フレ−ム２から横側に張り出した作用位置と、車体フレ−ム２側に収納した非作用位置とに切り替え操作可能なナロ−ガイド３であって、該ナロ−ガイド３は、先端部を前部の分草杆４側に取り付けると共に、中間部を、横向きに配置した油圧シリンダ５に連結して設け、該油圧シリンダ５は、手動操作で圧送される作動油によって伸長して前記ナロ−ガイド３を作用位置まで張り出す構成としたコンバインのナロ−ガイド操作装置であって、ナロ−ガイドの遠隔操作が楽にできるものである。そして、本案の実施例は、きわめて簡易な機構で安価な手押し式ポンプを利用するから、全体を低コストで製作できるもので、ナロ−ガイドの張り出し量も手動による操作量によって決まり、張り出し量の調整が容易にできるものとなっている。
【０００８】
つぎに、請求項２の発明は、油圧シリンダ５は、コンバイン１の注油装置６に使用する潤滑油を、作動油としてシリンダに圧送して、ナロ−ガイド３を作用位置に張り出す構成とした請求項１記載のコンバインのナロ−ガイド操作装置であって、ナロ−ガイドを操作するために専用の作動油を用意しないで、コンバインの注油装置に使用している潤滑油をそのまま作動油として利用する構成であるから、油圧関連装置（タンク、配管等）も共用部分が多くなって、しかも、きわめて低コストで製作できるものとなり、構成、及び操作が共に簡単になっている。
【０００９】
つぎに、請求項３の発明は、油圧ホ−ス８は、手動ポンプ７から油圧シリンダ５に作動油を送るホ−スであって、車体フレ−ム２を構成するパイプ材２ａの内部に配管して構成した請求項１、又は請求項２記載のコンバインのナロ−ガイド操作装置であって、狭い機体構成において車体フレ−ムを有効に利用して右側から左側に配管できる。そして、油圧ホ−スは、車体フレ−ムのパイプ材によって保護されて、損傷等を受けることがなくなった。
【発明の効果】
【００１０】
まず、請求項１の発明は、オペレ−タが操縦座席に居ながら、車体の反対側にあるナロ−ガイドの遠隔操作が楽にできるものである。そして、本案の実施例は、手押し式ポンプを利用したきわめて簡易な機構であるから、低コストで製作できる利点があり、ナロ−ガイドの張り出し量も手動による操作量、手加減によって調整が簡単にできる特徴がある。そして、実施例の構成は、ナロ−ガイドの収納操作をスプリングの張圧力を利用した機構にしているから、バルブの切り替えによって迅速に収納できる特徴もある。
【００１１】
そして、請求項２の発明は、ナロ−ガイドを操作する専用の作動油を用意しないで、コンバインの注油装置に使用する潤滑油をそのまま作動油として利用する方式、いわゆる、オイルの共用方式を採っているから、油圧関連装置（タンク、配管等）も共用部分が多くなってシンプルに構成できる利点があり、低コストで製作できると共に、使用にもコストがかからない優れた特徴がある。
【００１２】
そして、請求項３の発明は、狭い機体構成において、車体フレ−ムを有効に利用して右側の操縦座席から左側のナロ−ガイドまで配管ができる効果がある。そして、油圧ホ−スは、車体フレ−ムのパイプ材によって保護され、損傷を受けることがほとんどないから、長期間の使用も可能となった特徴がある。
【発明を実施するための最良の形態】
【００１３】
本発明は、ナロ−ガイドの張り出し操作を手動ポンプを使って行なう構成であって、しかも、油圧シリンダに圧送する作動油に、コンバインに装備している注油装置の潤滑油を利用するものである。
【００１４】
まず、コンバイン１は、図６、及び図７に示すように、左右一対のクロ−ラ１０、１０を有する車体フレ−ム２上において、左側に脱穀装置１１を搭載し、右側前部に操縦座席１２を、右側後部にはグレンタンク１３をそれぞれ配置して搭載した構成としている。そして、操縦座席１２は、その前側、及び左側に操作パネルや操作レバ−類を集中して配置し、各装置を操作しながら運転ができる構成としている。なお、本明細書で左側、又は右側の記載は、車体フレ−ム２の前進方向に向って見た状態を基準として説明している。
【００１５】
そして、刈取前処理装置１４は、図６、及び図７に示すように、基部を車体フレ−ム２上の前記脱穀装置１１の前にある支持台に回動自由に枢着連結した刈取フレ−ム１５を前方下部に延長して、前部から分草杆４、穀稈引起し装置１６、刈取装置１７、穀稈搬送装置１８をそれぞれ装備して伝動可能に構成している。
【００１６】
そして、刈取フレ−ム１５は、脱穀装置１１との間に昇降油圧シリンダ１９を設けてこれの伸縮により昇降自由に支持した構成としている。
つぎに、ナロ−ガイド３は、図１、図６、及び図７に示すように、前後の中間部分で折り曲げ自由に接続した前後２つの杆３ａ、３ｂから構成し、車体フレ−ム２の左側において、前端部を左の分草杆４の下部背後に車体幅方向に回動自由に枢着し、後端部を車体フレ−ム２の後部左側に固着している案内杆２０に前後摺動自由に取り付けて構成している。そして、ナロ−ガイド３は、図面から解るように、その中間位置に相当する後部杆３ｂの前部を、油圧シリンダ５のピストンロット２１の先端部に枢着して連結し、車体フレ−ム２に支持した構成としている。
【００１７】
そして、油圧シリンダ５は、図２、及び図３に示すように、車体フレ−ム２の側部に縦軸２２で前後回動自在に支持された支点プレ−ト２３に、前後方向の支持軸２４を介して上下回動自由に支持されている支持機枠２５に、横向きにして支持され、上記ピストンロット２１と一体としてナロ−ガイド３を支持した構成としている。この場合、油圧シリンダ５は、前後方向には縦軸２２を支点にして支持プレ−ト２３と共に一体に回動し、上下方向には、前記前後方向の支持軸２４を支点にして支持機枠２５と共に回動でき、固定ねじ２６で支持プレ−ト２３に係止できる構成としている。したがって、ナロ−ガイド３は、油圧シリンダ５に挿入されているピストンロット２１と一体となって前後方向と上下方向とに移動自由に構成され、上下方向は、前記固定ねじ２６で支持プレ−ト２３に位置がロックされる構成となっている。
【００１８】
そして、油圧シリンダ５は、図面に示すように、後部に接続した油圧ホ−ス８から供給される作動油によってピストンロット２１を押圧して伸長させてナロ−ガイド３を張り出し操作し、ピストンロット２１の外周に装備している圧縮スプリング２７の張圧力で縮小してナロ−ガイド３を車体フレ−ム２側に収納する構成としている。
【００１９】
つぎに、油圧機構と併せて切替バルブ等について説明する。
まず、手押し式ポンプ７は、図４、図６、及び図７に示すように、操縦座席１２の側部に設けた支持枠２８に取り付けて支持し、注油タンク２９に接続した吸入ホ−ス３０と排出ホ−ス３１とをそれぞれ連通して構成している。そして、第１切替バルブ３２は、図４、及び図５に示すように、注油装置６側と前記油圧シリンダ５側とを切り替え可能に構成している。つぎに、第２切替バルブ３３は、図４、及び図５に示すように、前記油圧シリンダ５に対して、給油通路と排油通路とに切り替えができる構成としている。
【００２０】
そして、油圧ホ−ス８は、図１に示すように、操縦座席１２のある車体フレ−ム２の右側からナロ−ガイド３（油圧シリンダ５）のある左側に配管するにあたり、図面からも解るように、パイプ材２ａの内部を通して配管した構成としている。
【００２１】
このように構成したナロ−ガイド３の張り出し、及び収納機構において、まず、ナロ−ガイド３を外側に張り出す操作は、予め、第１、及び第２切替バルブ３２、３３を切り替えて油圧シリンダ５に給油できる油路を開口し、手押し式ポンプ７のハンドルを上下に押し操作して注油タンク２９の油を作動油として油圧ホ−ス８側に送り出して油圧シリンダ５に給油する。すると、ナロ−ガイド３は、図３に示す収納位置から、ピストンロット２１が作動油に押圧されながら圧縮スプリング２７の張圧力に抗して伸長して、図２に示すように、外側に押し出して張り出し状態に移動する。この場合、ナロ−ガイド３は、その張り出し量は手押しポンプ７の操作量によって決まることになる。
【００２２】
このようにして、ナロ−ガイド３は、操縦座席１２に居ながらにして車体フレ−ム２の反対側に適量張り出し操作ができるものである。
そして、ナロ−ガイド３は、作業中においても上記手押しポンプ７の押し操作と、第２切替バルブ３３の切替操作とによって張り出し量を穀稈の倒伏角度等に応じて調節することができる。
【００２３】
そして、ナロ−ガイド３は、刈取作業が終了して車体フレ−ム２側に収納するときには、第２切替バルブ３３を排油側に切り替えて油圧シリンダ５の作動油を抜くと、圧縮スプリング２７の張圧力でピストンロット２１をシリンダ内部に縮小して収納することができる。
【００２４】
そして、油圧ホ−ス８は、上述の通り、パイプ材２ａの内部を通して配管しているから、外部から損傷を受けることがほとんどなくなって安全に長期間の使用に耐えることができる利点がある。
【００２５】
つぎに、既に説明した圧縮スプリング２７を有する油圧シリンダ５に代えて複胴型シリンダ３４を設けた実施例を、図８、及び図９に基づいて説明する。
まず、複胴型シリンダ３４は、図面から解るように、通常の複胴型構成であって、ピストンロット２１の端部に設けた仕切弁３５で仕切った上下のシリンダ室にそれぞれ作動油の供給と、排油とができる構成としている。この場合、複胴型シリンダ３４は、図９に回路図で示すように、逆止弁３６の下手側に切換バルブ３７を設けて、給油側と排油側とを切り換えてナロ−ガイド３の張り出しと収納との切り換えができる構成としている。
【００２６】
このように、実施例は、油圧シリンダ５に代えて複胴型シリンダ３４を使用すると、圧縮スプリング２７が不要となって構成が簡潔になると共に、張り出し量、及び収納量の位置調整が比較的容易になって、正確に操作ができる利点がある。
【００２７】
つぎに、油圧ホ−ス８は、既に説明した図２の実施例では、車体フレ−ム２のパイプ材２ａの内部に配管しているが、つぎに説明する図１０、及び図１１では穀稈引起し装置１６を支持している前側の上部フレ−ム３８に内装するか、又は外側にクランプで係止して配管した構成としている。この場合、手押し式のポンプ７は、図１０に示すように、上部フレ−ム３８の下部位置に取り付けているから、このポンプ７に接続している油圧ホ−ス８を上部フレ−ム３８に沿わせて車体フレ−ム２の他側側まで配管する方が配置として合理的な構成と利点がある。
【００２８】
そして、油圧ホ−ス８は、図１０、及び図１１に示すように、注油装置６の複数の注油ホ−ス３９と共にまとめて配管できる点でも有利な構成となる。
以上のように、注油ホ−ス８は、上部フレ−ム３８に沿って高い位置を迂回させて車体フレ−ム２の左側から右側に配管することが可能であるから、損傷を受けることも少ない特徴がある。
【００２９】
つぎに、空気圧を利用した手押しポンプ４０を空気圧シリンダ４１に連通して構成した実施例を、図１２、図１３、図１４に基づいて説明する。
まず、手押しポンプ４０は、図１２、及び図１３に示すように、作動油に代えて空気を圧送する構成であって、図１４に示す空気圧シリンダ４１に圧入してピストンロット２１を押し出してナロ−ガイド３を張り出しできる構成としている。  なお、図面において、４２はエア抜きコック、４３は空気ホ−スである。
【００３０】
以上の構成において、ナロ−ガイド３は、まず、エア抜きコック４２を空気ホ−ス４３、空気圧シリンダ４１側に連通状態に切り換えて、手押しポンプ４０を適量操作すると、シリンダ４１に空気が圧入されてピストンロット２１が圧縮スプリング２７に抗して押し出されて外側に張り出される。この場合、ナロ−ガイド３は、その張り出し量がポンプ４０の操作量によって決められ、張り出し位置の調整が容易にできる。
【００３１】
このように、空気圧シリンダ４１に手押しポンプ４０を接続した実施例は、構成がきわめて簡単であって、低コストで製作できる特徴がある。
つぎに、ナロ−ガイド３を連動ロット４５に連結して手動操作による押し引きによって張り出し、及び収納ができる構成にした実施例について説明する。
【００３２】
まず、ナロ−ガイド３は、図１５、乃至図１７に示すように、車体フレ−ム２の左側（未稈側）に設けられ、反対側の右側に操縦座席１２が配置して装置されている。したがって、実施例は、図面に示すように、右側から車体フレ−ム２のパイプ材２ａの内空に連動ロット４５を通して左側に貫通し、ナロ−ガイド３に枢着、連結した構成としている。そして、上記連動ロット４５は、中間部分に複数の屈折支点Ｐを設けて上側に折り曲げ自由に連結した構成としている。なお、４６は握り部、４７は止め具を示し、連動ロット４５を係合して保持する構成としている。
【００３３】
このように、上記実施例は、ナロ−ガイド３の張り出し、収納を連動ロット４５によって手動操作する構成であるから、機構がきわめて簡単であると共に、正確な操作ができる利点がある。そして、ナロ−ガイド３は、車体フレ−ム２の左側にありながら、操縦座席１２のある右側から張り出し、収納操作することができる。そして、連動ロット４５は、図面に示すように、中間部分に複数の屈折支点Ｐを設けて折り曲げ自由に連結した構成としているから、ナロ−ガイド３の張り出し量を自由に調整して握り部４６側を止め具４７に係止して保持することができるものとなっている。
【００３４】
つぎに、回転式露払い装置５０の実施例を、図１８、乃至図２３に基づいて具体的に説明する。
まず、露払い装置５０は、図１８、及び図１９に示すように、コンバインの左側に搭載している脱穀装置１１のフィ−ドチエン５１の伝動部から伝動する構成としている。そして、露払い装置５０は、実施例の場合、図面に示すように、円筒状に形成してその外周面に多数の露払いラグ５２を設け、圃場の穀稈条列３条に対して同時に露払い作用ができる長さに構成している（実施例のコンバイン１が３条刈である）。そして、露払い装置５０は、図２０に示すように、連結軸５３をスプライン軸とし、フィ−ドチエン５１の回転軸５４の外側から挿脱自由に連結できる構成としている。
【００３５】
そして、フィ−ドチエン５１は、実施例の場合、図２２に示すように、駆動スプロケット５５、始端部スプロケット５６、テンションスプロケット５７、ロ−ラ５８にそれぞれ巻回されて回転する構成となっているが、上記露払い装置５０は、テンションスプロケット５７以外であれば、他の各スプロケット５５、５６、及びロ−ラ５８に挿脱自由に連結して動力を取り出すことができる。
【００３６】
そして、露払い装置５０は、図２１、及び図２３に示す２つの実施例の場合、基部の脱穀装置１１側の回転軸５４からベルト伝動によって駆動され、しかも、回転軸５４を支点にして上下に高さ調節が出来る構成としている。したがって、露払い装置５０は、圃場の穀稈丈に応じて高さ調節しながら穂部近傍に付着している露を刈取直前に払い落すことができる特徴がある。
【００３７】
以上のように、実施例に係る露払い装置５０は、コンバイン１の未刈稈側、すなわち、脱穀装置１１の左側に装備しているフィ−ドチエン５１の回転軸５４に挿脱自由に取り付ける構成であって、降雨中や朝露のあるときの作業時において取り付けて、雨や露で濡れている穀稈から水滴を払い落しながら刈取作業ができる。そして、露払い装置５０は、フィ−ドチエン５１を巻回している各スプロケット５５、５６、５８のいずれからでも連結して動力を取り出す構成にできる。
【００３８】
このように、露払い装置５０は、脱穀装置１１の左側中央位置に装備すると、刈取前処理装置１４からフィ−ドチエン５１に受け継ぐ搬送穀稈との干渉も支障もなく適確に作業ができるものとなっている。
【００３９】
つぎに、露払い機能を備えたナロ−ガイド３について、実施例を説明する。
まず、ナロ−ガイド３は、図６、及び図７に示すように、コンバイン１の未刈稈側に装備して、前進刈取作業中に外側に張り出して未刈穀稈を車体フレ−ム２から外方に押し離す機能を有するが、これに露払いの機能も持たせた構成である。  この場合、ナロ−ガイド３は、図２４、及び図２５に示すように、前端部を分草杆４の背後に、縦軸によって横方向に回動自由に枢着され、中間部分を支持杆６０の先端部に形成した横向きの長孔６１に支持ピン６２を摺動自由に嵌合して支持した構成としている。そして、ナロ−ガイド３は、図２４に示す実施例では、連動ロット６３を刈刃駆動側の作動ウエイト６４に接続して設け、摺動刈刃６５と一体的に左右往復運動ができる構成としている。そして、ナロ−ガイド３は、図２５に示す実施例では、摺動刈刃６５を伝動する往復作動部６６にロット６７、中間部を分草支持杆６８に枢着支持した揺動杆６９、更に、ロット７０を介して連結した構成としている。そして、ナロ−ガイド３は、図２６に示す実施例では、往復プレ−ト７１の端部を摺動刈刃６５の端部に押し当てた状態に接続して往復運動が伝動される構成としている。この場合、縦方向の揺動杆７２は、中間部をフレ−ム７３にピンで枢着して支持し、上側をナロ−ガイド３に接続し、下側を上記往復プレ−ト７１に接続して刈刃６５の左右往復運動がナロ−ガイド３に伝動される構成としている。
【００４０】
そして、本案実施例の刈取装置７７は、具体的な図面は省略するが、走行ミッション装置を経由した回転動力によって駆動される伝動経路を採っており、走行速度にシンクロして刈取作業ができる構成となっている。更に、本案の場合、刈取装置７７は、昇降手段によって設定した高さに上昇すると自動的に伝動が断たれて停止する構成となっている。
【００４１】
したがって、ナロ−ガイド３は、刈取装置７７の往復伝動機構から動力を取り出して左右に振動する構成となっているから、当然、刈取装置７７に追従して変速され、停止することになる。そのため、ナロ−ガイド３は、車速に同調して変速しながら振動し、手扱ぎ時や後退時、上昇時には刈取装置７７と共に停止して安全が確保できる。
【００４２】
このように、実施例のナロ−ガイド３は、本来の分草機能と共に、摺動刈刃６５と同調して、支持杆６０の長孔６１の範囲内において左右に往復振動しながら圃場の穀稈に対して露払いを行うものであって、張り出し量にかかわらず同じ振幅で露払いができ、しかも、安価に製作できる利点がある。
【図面の簡単な説明】
【００４３】
【図１】一部を断面して示す平面図である。
【図２】一部を断面して示す作用平面図である。
【図３】一部を断面して示す平面図である。
【図４】側面図である。
【図５】油圧回路図である。
【図６】コンバインの正面図である。
【図７】コンバインの側面図である。
【図８】一部を断面して示す平面図である。
【図９】油圧回路図である。
【図１０】正面図である。
【図１１】側面図である。
【図１２】側面図である。
【図１３】油圧回路図である。
【図１４】一部を断面して示す作用平面図である。
【図１５】一部を断面して示す平面図である。
【図１６】一部を断面して示す正面図である。
【図１７】一部を断面して示す正面図である。
【図１８】正面図である。
【図１９】平面図である。
【図２０】分解した正面図である。
【図２１】作用側面図である。
【図２２】側面図である。
【図２３】側面図である。
【図２４】平面図である。
【図２５】一部を断面して示す平面図である。
【図２６】平面図である。
【図２７】正面図である。
【符号の説明】
【００４４】
１  コンバイン
２  車体フレ−ム
２ａ  パイプ材
３  ナロ−ガイド
４  分草杆
５  油圧シリンダ
６  注油装置
７  手動ポンプ
８  油圧ホ−ス。
【図１】
2005095072.tif 000003
【図２】
2005095072.tif 000004
【図３】
2005095072.tif 000005
【図４】
2005095072.tif 000006
【図５】
2005095072.tif 000007
【図６】
2005095072.tif 000008
【図７】
2005095072.tif 000009
【図８】
2005095072.tif 000010
【図９】
2005095072.tif 000011
【図１０】
2005095072.tif 000012
【図１１】
2005095072.tif 000013
【図１２】
2005095072.tif 000014
【図１３】
2005095072.tif 000015
【図１４】
2005095072.tif 000016
【図１５】
2005095072.tif 000017
【図１６】
2005095072.tif 000018
【図１７】
2005095072.tif 000019
【図１８】
2005095072.tif 000020
【図１９】
2005095072.tif 000021
【図２０】
2005095072.tif 000022
【図２１】
2005095072.tif 000023
【図２２】
2005095072.tif 000024
【図２３】
2005095072.tif 000025
【図２４】
2005095072.tif 000026
【図２５】
2005095072.tif 000027
【図２６】
2005095072.tif 000028
【図２７】
2005095072.tif 000029